(57)【要約】【課題】  ディスク装置において、制振作用を担っている錘としての板金部材に追加した保護片部にケーブルガイドとしての役割を担わせることによって、ＦＰＣが可動シャーシのコーナエッジ部に接触して損傷や断線を起こすことを防ぐ。【解決手段】  光ピックアップ４０が枠形の可動シャーシ２０の開口窓２１内で走行する。光ピックアップ４０から引き出されたＦＰＣ５０が開口窓２１に臨んでいる。光ピックアップ４０がその走行によって接近離反する可動シャーシ２０の後辺部２３に、制振作用を発揮する錘７０が取り付けられている。錘７０を板片状の板金部材によって形成し、その板金部材に、可動シャーシ２０の後辺部２３の内側のコーナエッジ部２２を覆う保護片部７１を略直角に折曲形成してある。【選択図】        図１
2008186560.tif 000002
【特許請求の範囲】
【請求項１】
ターンテーブルに保持されて回転するディスクの記録面を光学的に処理する光ピックアップが、その光ピックアップの走行を許容する開口窓を有する枠形のシャーシに搭載されていて、その光ピックアップから引き出されたフレキシブルフラットケーブルが上記開口窓に臨んでいると共に、上記光ピックアップがその走行によって接近離反される上記シャーシの辺部に、制振作用を発揮する錘と、シャーシの上記辺部の内側のコーナエッジ部を覆って上記フレキシブルフラットケーブルがそのコーナエッジ部に接触することを回避させるケーブルガイドと、が取り付けられているディスク装置において、
上記ケーブルガイドを省略した上で、上記錘を板片状の板金部材によって形成し、その板金部材に、シャーシの上記辺部の内側のコーナエッジ部を覆うようにその辺部の内側端面に重ね合わされた保護片部が略直角に折曲形成してあると共に、その保護片部に備わっているコーナ部の表面を湾曲面に形成して、上記光ピックアップの走行によって上記辺部に対する接近離反方向に変位する上記フレキシブルフラットケーブルが上記湾曲面に摺接可能とされていることを特徴とするディスク装置。
【請求項２】
ターンテーブルに保持されて回転するディスクの記録面を光学的に処理する光ピックアップが、その光ピックアップの走行を許容する開口窓を有する枠形のシャーシに搭載されていて、その光ピックアップから引き出されたフレキシブルフラットケーブルが上記開口窓に臨んでいると共に、上記光ピックアップがその走行によって接近離反される上記シャーシの辺部に、制振作用を発揮する錘が取り付けられているディスク装置において、
上記錘が板片状の板金部材によって構成されていて、その板金部材に、シャーシの上記辺部の内側のコーナエッジ部を覆って上記フレキシブルフラットケーブルがそのコーナエッジ部に接触することを回避させる保護片部が一体に折曲形成されていることを特徴とするディスク装置。
【請求項３】
上記保護片部が上記板金部材に略直角に折曲形成されてシャーシの上記辺部の内側端面に重ね合わされている請求項２に記載したディスク装置。
【請求項４】
上記保護片部に備わっているコーナ部の表面を湾曲面に形成して、上記光ピックアップの走行によって上記辺部に対する接近離反方向に変位する上記フレキシブルフラットケーブルが上記湾曲面に摺接可能とされている請求項３に記載したディスク装置。
【発明の詳細な説明】
【技術分野】
【０００１】
本発明は、ディスク装置、特に制振作用を発揮する錘を備えたディスク装置に関する。
【背景技術】
【０００２】
図３にディスク装置の基本構成を概略平面図で示してある。同図のディスク装置は、メカシャーシとしての枠フレーム１０に、トラバースシャーシと称される可動シャーシ２０がその一端を支点（一点鎖線Ｐで示してある）として昇降動可能に取り付けられていて、その可動シャーシ２０には、記録媒体としてのディスクを保持して回転させるためのターンテーブル３０や光ピックアップ４０が取り付けられている。また、枠フレーム１０には図示していないディスクトレイが出退可能に取り付けられている。
【０００３】
また、可動シャーシ２０が開口窓２１を有する枠形に形成されていて、光ピックアップ４０がその開口窓２１内で走行する。また、光ピックアップ４０に対する信号授受に用いられるフレキシブルフラットケーブル（以下「ＦＰＣ」という）５０がその光ピックアップ４０から引き出されて開口窓２１に臨むように引き回されている。
【０００４】
このような基本構成を有するディスク装置にあっては、ディスクトレイによって搬入されたディスクが、可動シャーシ２０の上昇動作を通じてターンテーブル３０に受け取られてターンテーブル３０と共に回転駆動され、そのようなディスクの回転中に、光ピックアップ４０が矢印Ａのようにディスクの半径方向に走行してそのディスクの記録面を光学的に処理することが行われる。そして、走行動作に伴う光ピックアップ４０の位置変化は、光ピックアップ４０から引き出されているＦＰＣ５０が撓み変形することによって吸収される。
【０００５】
ところで、上記可動シャーシ２０は板金材を打ち抜くことによって製作されることが多いため、当該可動シャーシ２０に具備される各辺部内側端面の厚さ方向両側には尖ったエッジ状のコーナエッジ部２２が備わっていることが多い。一方、そのコーナエッジ部２２のうちで、光ピックアップ４０がその走行によって接近離反される辺部（以下「後辺部」という）２３に備わっているコーナエッジ部２２は光ピックアップ４０からのＦＰＣ５０の引出し方向に位置しているために、光ピックアップ４０の走行に伴って撓み変形するＦＰＣ５０が接触する可能性が高い。そのため、上記のように後辺部２３のコーナエッジ部２２に接触したＦＰＣ５０の外皮が剥がれて損傷したり、場合によってＦＰＣ５０の電路が断線したりするおそれがある。
【０００６】
そこで、従来は、図４に示したケーブルガイド６０を樹脂成形体によって別途製作し、そのケーブルガイド６０を図５に示したように可動シャーシ２０の後辺部２３にビス止めなどの適宜手段で取り付けてＦＰＣ５０が後辺部２３のコーナエッジ部２２に直接に接触することを回避させていた。すなわち、図５のように後辺部２３にケーブルガイド６０を取り付けてその後辺部２３のコーナエッジ部２２を覆わせていた。こうしておくと、同図に実線又は仮想線で示したようにＦＰＣ５０が撓み変形しても、そのＦＰＣ５０が後辺部２３のコーナエッジ部２２に接触することがなくなる結果、ＦＰＣ５０の外皮の剥がれや電路の断線を生じなくすることが可能になる。
【０００７】
ところで、近時のディスク装置では、ディスクにデータを高密度で記録することが要請されていることなどにより、図３に示したターンテーブル３０の回転速度の高速化が図られていると共に、可動シャーシ２０を制振して光ピックアップ４０による光学的処理精度の低下を防ぐことが要求されている。この要求に対処するために、図４又は図５に例示してあるように、板金部材でなる錘７０を追加し、この錘７０を可動シャーシ２０にビス止めなどの適宜手段で取り付けることがある。この事例のように錘７０を追加して可動シャーシ２０を制振する場合の当該錘７０の取付け箇所には、制振作用をできるだけ発揮させやすい箇所が選ばれる。具体的には、可動シャーシ２０の後辺部２３のほか、それに加えて可動シャーシ２０の左右の各辺部が選ばれることがあり、その場合には、たとえば、後辺部２３に図示したような細帯形板片状の板金部材を２枚重ねで取り付け、かつ、左右の各辺部に同様の板金部材（不図示）が１枚ずつ取り付けられることがある。
【０００８】
一方、上記した基本構成を備えるディスク装置において、バランスウェイトとしての錘を追加して制振作用を行わせることは従来より公知である（たとえば、特許文献１、特許文献２参照）。
【特許文献１】特開２００２−９３１１５号公報
【特許文献２】特開２００４−１２７４１４公報
【発明の開示】
【発明が解決しようとする課題】
【０００９】
しかしながら、ＦＰＣ５０が可動シャーシ２０の後辺部２３のコーナエッジ部２２に接触して損傷したり断線したりすることを防ぐために、上記したように樹脂成形体によって別途製作したケーブルガイド６０を用いることは、それだけ必要部品点数が増加して組立工程が煩雑化して部品コストや組立コストが高くつくことになる。
【００１０】
そこで、本願発明者は、可動シャーシ２０の後辺部２３に、制振作用を発揮する細帯形板片状の板金部材を取り付けてあることに着目し、この板金部材を利用して可動シャーシ２０の後辺部２３に備わっているコーナエッジ部２２を覆わせるための対策を講じることができれば、上記したケーブルガイド６０を省略することが可能になって、それだけ必要部品点数が削減され、組立工程も簡略化されるであろうということを考えついた。
【００１１】
したがって、本発明は、制振作用を担っている錘としての板金部材を利用することにより、必要部品点数を増加させずにＦＰＣの損傷や断線が防止されるディスク装置を提供することを目的とする。
【００１２】
また、本発明は、図４に示したケーブルガイドを省略して必要部品点数を削減することのできるディスク装置を提供することを目的とする。
【課題を解決するための手段】
【００１３】
本発明に係るディスク装置では、ターンテーブルに保持されて回転するディスクの記録面を光学的に処理する光ピックアップが、その光ピックアップの走行を許容する開口窓を有する枠形のシャーシに搭載されていて、その光ピックアップから引き出されたＦＰＣが上記開口窓に臨んでいると共に、上記光ピックアップがその走行によって接近離反される上記シャーシの辺部に、制振作用を発揮する錘が取り付けられている。そして、上記錘が板片状の板金部材によって構成されていて、その板金部材に、シャーシの上記辺部の内側のコーナエッジ部を覆って上記ＦＰＣがそのコーナエッジ部に接触することを回避させる保護片部が一体に折曲形成されている。
【００１４】
この構成であると、制振作用を発揮する錘を形成している板片状の板金部材に折曲形成された保護片部が、図４に示したケーブルガイド６０の代用としての役目を担うようになる。そのため、ＦＰＣが可動シャーシの辺部のコーナエッジ部に接触して損傷したり断線したりするという事態がケーブルガイド６０を用いることなく防止される。しかも、その保護片部は、錘を形成している板片状の板金部材に折曲形成されているので、保護片部を備えることによって部品点数が増加することにはならない。このことから、本発明に係るディスク装置は、図４に示した構成を備えるディスク装置と比べると、ケーブルガイドが不要になってそれだけ部品点数が削減されることになる。しかも、保護片部の重量が錘を形成している板金部材の重量に加わるために、その錘による制振作用が保護片部を追加することによる重量増によって増長されるようになるという有益な作用も発揮されることになる。
【００１５】
本発明では、上記保護片部が上記板金部材に略直角に折曲形成されてシャーシの上記辺部の内側端面に重ね合わされていることが望ましい。これによれば、シャーシの上記辺部の内側端面に重ね合わされている保護片部が錘としての板金部材を位置決めする作用を発揮するので、その錘の取付け箇所が精度よく定まって制振作用を効率よく発揮させることが容易になる。
【００１６】
本発明では、上記保護片部に備わっているコーナ部の表面を湾曲面に形成して、上記光ピックアップの走行によって上記辺部に対する接近離反方向に変位する上記ＦＰＣが上記湾曲面に摺接可能とされていることが望ましい。これによれば、ＦＰＣが接触する保護片部のコーナ部の表面が湾曲面に形成されているために、保護片部のＦＰＣとの接触箇所からコーナエッジ部がなくなる。そのため、ＦＰＣが保護片部のコーナエッジ部に接触して損傷したり断線したりするという事態を生じる余地がなくなる。
【００１７】
本発明に係るディスク装置は、次の構成を採用することによっていっそう具体化される。すなわち、ターンテーブルに保持されて回転するディスクの記録面を光学的に処理する光ピックアップが、その光ピックアップの走行を許容する開口窓を有する枠形のシャーシに搭載されていて、その光ピックアップから引き出されたフレキシブルフラットケーブルが上記開口窓に臨んでいると共に、上記光ピックアップがその走行によって接近離反される上記シャーシの辺部に、制振作用を発揮する錘と、シャーシの上記辺部の内側のコーナエッジ部を覆って上記フレキシブルフラットケーブルがそのコーナエッジ部に接触することを回避させるケーブルガイドと、が取り付けられているディスク装置において、上記ケーブルガイドを省略した上で、上記錘を板片状の板金部材によって形成し、その板金部材に、シャーシの上記辺部の内側のコーナエッジ部を覆うようにその辺部の内側端面に重ね合わされた保護片部が略直角に折曲形成してあると共に、その保護片部に備わっているコーナ部の表面を湾曲面に形成して、上記光ピックアップの走行によって上記辺部に対する接近離反方向に変位する上記フレキシブルフラットケーブルが上記湾曲面に摺接可能とされている、という構成を採用することによっていっそう具体化される。この発明の作用などについては後述する実施形態を参照して詳細に説明する。
【発明の効果】
【００１８】
以上のように、本発明では、制振作用を担っている錘としての板金部材に一体に追加した保護片部にケーブルガイドとしての役割を担わせることによって、ＦＰＣが可動シャーシの辺部のコーナエッジ部に接触することを防いでいるので、ＦＰＣの損傷や断線が防止されるにもかかわらず、ケーブルガイドを別部材として用いたものに比べて必要部品点数が削減される。そのため、ディスク装置の組立性が改善されて量産性が向上し、部品コストや組立コストが低減するという効果が奏される。
【発明を実施するための最良の形態】
【００１９】
図１は本発明の実施形態に係るディスク装置の要部の分解斜視図、図２は同要部の概略側面図である。
【００２０】
このディスク装置の基本構成は図３を参照して説明したところと同様である。また、制振作用を発揮する錘７０としての板金部材が可動シャーシ２０の後辺部２３にビス止めなどの適宜手段を用いて重なり状に取り付けられる点は、図４又は図５を参照して説明したところと同様である。
【００２１】
この実施形態では、図４又は図５に示したケーブルガイド６０を省略してある点と、図４又は図５に示した２枚の板金部材である錘７０を１枚の板金部材だけによって形成し、その板金部材に一体に連設した保護片部７１を、可動シャーシ２０の後辺部２３の内側のコーナエッジ部２２を覆うようにその後辺部２３の内側端面２４に重ね合わてある点、とが、図４又は図５を参照して説明したものと相違している。
【００２２】
図１又は図２のように、上記保護片部７１は、錘７０を形成している１枚の細帯形板片状の板金部材の長手方向中央部に略直角に折曲形成されている。この構成であると、保護片部７１の重量が錘７０を形成している板金部材の重量に加わるために、その錘７０による制振作用が保護片部７１を追加することによる重量増によって増長されるようになる。このことを勘案して、この実施形態では、錘７０を１枚の細帯形板片状の板金部材だけによって形成し、図４に示した他の１枚の細帯形板片状の板金部材を省略してある。
【００２３】
また、保護片部７１に備わっているコーナ部の表面を、図２によって判るように湾曲面７２，７２に形成してある。このようにコーナ部の表面を湾曲面７２とすることは、コーナ部に所謂アール面取り加工を施すことによって容易に可能である。
【００２４】
以上の構成を備えたディスク装置によると、光ピックアップ４０から引き出されているＦＰＣ５０が可動シャーシ２０の後辺部２３のコーナエッジ部２２に接触することが保護片部７１によって防止される。そのため、可動シャーシ２０の後辺部２３のコーナエッジ部２２にＦＰＣ５０が接触して、その外皮が剥離したり電路が断線したりするという事態を生じる余地がない。また、ＦＰＣ５０が、たとえば図２の実線や仮想線で示したように保護片部７１に接触するとしても、保護片部７１のコーナ部の表面が湾曲面７２に形成されているために、ＦＰＣ５０が保護片部７１に接触してその外皮が剥離したり電路が断線したりするという事態も生じない。
【００２５】
この実施形態に係るディスク装置を、図４又は図５の構成を備えるディスク装置と対比すると、ケーブルガイド６０が省略されているだけでなく、錘７０としての板金部材の必要枚数が２枚から１枚に削減されている。したがって、錘７０を可動シャーシ２０の後辺部２３と左右の辺部とに設置する場合には、図４又は図５の構成を備えるディスク装置では、ケーブルガイド６０と４枚の板金部材とが必要であるのに対し、この実施形態のディスク装置では、ケーブルガイド６０が不要になり、しかも、３枚の板金部材を用いるだけで済む。このことから、実施形態に係るディスク装置は、図４又は図５の構成を備えるディスク装置に比べて必要部品点数が削減されてそれだけ組立性が改善され、ひいては量産性が向上したものになっている。
【図面の簡単な説明】
【００２６】
【図１】本発明の実施形態に係るディスク装置の要部の分解斜視図である。
【図２】同要部の概略側面図である。
【図３】ディスク装置の基本構成を示した概略平面図である。
【図４】ケーブルガイドを用いたディスク装置の要部の分解斜視図である。
【図５】図４のディスク装置の要部の概略側面図である。
【符号の説明】
【００２７】
２１  開口窓
２０  可動シャーシ（枠形のシャーシ）
２２  辺部の内側のコーナエッジ部
２３  後辺部（辺部）
２４  辺部の内側端面
３０  ターンテーブル
４０  光ピックアップ
５０  ＦＰＣ（フレキシブルフラットケーブル）
６０  ケーブルガイド
７０  錘
７１  保護片部
７２  湾曲面
【図１】
2008186560.tif 000003
【図２】
2008186560.tif 000004
【図３】
2008186560.tif 000005
【図４】
2008186560.tif 000006
【図５】
2008186560.tif 000007